(57)【特許請求の範囲】
【請求項１】
それぞれのグリッドビームがグリッドビーム面を有し、且つ、長手に沿って一体的に連続するウエブ部を有する湾曲したグリッドビームを少なくとも含む複数のグリッドビームであって、該複数のグリッドビームは、複数のグリッドビーム交差点と複数のグリッドビーム遷移点とを有する多方向グリッドを構成し、前記複数のグリッドビーム交差点では前記グリッドビームが直交し、前記複数のグリッドビーム遷移点では前記多方向グリッドの平面又は湾曲面がその広がり方向を異なる方向に変化させており、前記複数のグリッドビームの前記グリッドビーム面が多方向グリッド面を構成する、前記複数のグリッドビームと、
前記多方向グリッドの前記グリッドビーム交差点及び前記グリッドビーム遷移点で前記グリッドビームに連結される複数のグリッドクリップを含み、前記グリッドビーム遷移点のグリッドクリップは、ドライウオールパネルが直接装着される前記グリッドビーム面又は当該グリッドビーム面からの延長部が前記グリッドビーム遷移点で交差するように前記グリッドビームに連結される、前記複数のグリッドクリップと、
前記多方向グリッドの前記多方向グリッド面と整合すべく成形されたドライウオールパネルとを備え、
前記ドライウオールパネルは、前記多方向グリッド面を構成する前記グリッドビーム面に直接装着されているドライウオール吊下システム。
【請求項２】
前記多方向グリッド面の一部が平面である請求項１記載のドライウオール吊下システム。
【請求項３】
前記多方向グリッド面の一部が湾曲している請求項１記載のドライウオール吊下システム。
【請求項４】
前記湾曲した多方向グリッド面が凸面である請求項３記載のドライウオール吊下システム。
【請求項５】
前記湾曲した多方向グリッド面が凹面である請求項３記載のドライウオール吊下システム。
【請求項６】
前記湾曲した多方向グリッド面には、少なくとも一の凸面部と少なくとも一の凹面部とが含まれている請求項３記載のドライウオール吊下システム。
【請求項７】
前記多方向グリッド面には、少なくとも一の平面部と少なくとも一の湾曲部とが含まれている請求項１記載のドライウオール吊下システム。
【請求項８】
前記湾曲部が凸面である請求項７記載のドライウオール吊下システム。
【請求項９】
前記湾曲部が凹面である請求項７記載のドライウオール吊下システム。
【請求項１０】
前記湾曲部には、少なくとも一の凸面部と少なくとも一の凹面部とが含まれている請求項７記載のドライウオール吊下システム。
【請求項１１】
前記複数のグリッドクリップには、少なくとも一の遷移クリップが含まれており、
前記遷移クリップは、前記多方向グリッドの１つのグリッド遷移点で２本のグリッドビームに連結されるクリップであって、該グリッド遷移点が、２本のグリッドビームの他方の一端部と垂直に交わる該２本のグリッドビームの一方の一端部によって形成されるように、当該２本のグリッドビームに連結される請求項１記載のドライウオール吊下システム。
【請求項１２】
前記複数のグリッドクリップには、更に少なくとも一のスプライスクリップが含まれており、
前記スプライスクリップは、各グリッドビームの一端部で互いに当接される２本のグリッドビームに連結される請求項１記載のドライウオール吊下システム。
【請求項１３】
前記複数のグリッドクリップには、更に少なくとも一の面トリムクリップが含まれており、
前記面トリムクリップは、旋回するクリップ部を含み、グリッドビームの端部と面トリム部とに連結される請求項１記載のドライウオール吊下システム。
【請求項１４】
前記ドライウオールパネルがネジにより前記多方向グリッド面に装着されている請求項１記載のドライウオール吊下システム。
【請求項１５】
前記グリッドビーム遷移点は、一のグリッドビームの端部が他のグリッドビームと垂直に交わる点と、２つのグリッドビーム端部がある角度でもって交わる点とを含む請求項１記載のドライウオール吊下システム。
【請求項１６】
前記湾曲したグリッドビームは、３０、４５、６０あるいは９０度の円弧角を有している請求項１５記載のドライウオール吊下システム。
【請求項１７】
前記湾曲したグリッドビームの少なくとも一のグリッドビーム面が凹面である請求項１５記載のドライウオール吊下システム。
【請求項１８】
前記湾曲したグリッドビームの少なくとも一のグリッドビーム面が凸面である請求項１５記載のドライウオール吊下システム。
【請求項１９】
前記ドライウオールパネルがネジにより前記多方向グリッド面に装着されている請求項１５記載のドライウオール吊下システム。
【発明の詳細な説明】
【０００１】
（技術分野）
本発明は支承吊下グリッドで構成されるドライウオール吊下システム、特に吊下グリッド天井に関する。吊下グリッド天井は通常、吊下Ｔグリッドビームを連結することにより各種の構造体に構成されている。Ｔグリッドビームは長手のビームであり、ビームの底部にフランジを有しドライウオールパネルを装着可能なグリッドビーム面を具備している。Ｔグリッドビームは各種のクリップにより連結される。通常、Ｔグリッドビームは突出したアルミニウムあるいは圧延加工したスチールで作られ、直線状あるいは湾曲状に形成可能である。吊下グリッドで直線状あるいは湾曲状のグリッドビームを使用すると、多方向グリッド面と整合するよう形成する場合、ドライウオールを装着する多方向グリッド面が形成される。これにより山部または湾曲部を含む他の特徴部を備えたドライウオール吊下天井を形成できる。
【０００２】
（背景技術）
従来のグリッド吊下システムで湾曲部または特徴部を作成しようとすると、設置の際グリッドビームに対し多く変更を要する問題がある。例えば湾曲グリッドビームを形成するには、直線状グリッドビームのウエブ部を所定の間隔で切断あるいはノッチ形成してビームを所望の湾曲形に曲げる必要が生じる。この方法では通常、クリップを追加して各切断部若しくはノッチ部におけるウエブ部を補強する必要がある。このため製造費が増加することになる。この方法ではまた、切断部、ノッチ部、及び切断部またはノッチ部間の直線部に曲げが集中し、単に湾曲に近い局部グリッド面のみが形成される。これはドライウオールパネルとグリッドビーム面との間の適合性に悪影響を与える。更に湾曲したグリッドビームが所定の設置場所で形成されるので、設置個所により異る湾曲部または別の天井特徴部を形成することになり、一貫性に欠ける。湾曲ビームの半径、弦長、及び円弧角の変更は可能であるが、この特別の湾曲特徴部を含む各設置個所毎に別個の技術等々が必要となる問題がある。
【０００３】
（発明の開示）
しかして本発明の一目的は標準の、予め設計され前以て加工された部材をカタログから選定し、従って現場での製造が不要であり標準部材を用いて天井の各種の湾曲部ないしは特徴部を構成可能なドライウオール吊下システムを提供することにある。
【０００４】
また本発明の他の目的は標準の、前以て設計されたグリッドクリップを選定して用い、吊下グリッド内の各種の交差部及び遷移部でグリッドビームを接合可能であり、これにより各設置位置に合わせて特注製造されたグリッドクリップを必要としないドライウオール吊下システムを提供することにある。
【０００５】
本発明の他の目的は前以て設計され前以て湾曲されたグリッドビームを用い、吊下システム内の湾曲したグリッドビームを現場で製造する、あるいは特注する必要のないドライウオール吊下システムを提供することにある。
【０００６】
本発明の他の目的は前以て設計され前以て加工された部材を用い、各設置個所に対し個別の構成、計算及び設計の要のないドライウオール吊下システムを提供することにある。
【０００７】
本発明は、ドライウオール吊下グリッドシステムである。このシステムは、各種のサイズで予め加工され設計された所定のＴグリッドビーム及び部材を選択の対象として備えており、これら部材は、ドライウオールを装着するためのグリッド面であって多面的でないグリッド面を有するグリッドを構成するために使用される。これにより、ドライウオール吊下天井が形成される。この吊下グリッドシステムは、グリッドドライウオール吊下天井に、平担な天井、湾曲した天井、ソフィット部（下側部）、浮動縁天井のファシア、実用的共用部、あるいはこれらの組合せを形成するために使用することができる。
【０００８】
吊下システムには、直線状のＴグリッド主ビーム、予め湾曲されたＴグリッド主ビーム、直線状Ｔグリッドクロスビーム、及びクロス溝部材が含まれる。Ｔグリッドビームは湾曲状あるいは直線状の長手のビームであり、ビームの底部にグリッドビーム面を与えるフランジを有している。吊下グリッド内のグリッドビーム面が集まって全体としてドライウオールパネルを装着可能なグリッド面が形成される。
【０００９】
システム内の部材は他に、アングル成形品、溝成形品、面トリム品が含まれ、これらはドライウオール吊下天井内にコーナ部あるいは仕上縁部を形成するために使用される。数種類のクリップはビーム、溝部材、トリム品を連結して吊下グリッドシステムを形成するために使用される。クリップとしては遷移クリップ、スプライスクリップ、スプライスプレート、壁付設クリップ、及び面トリムクリップが挙げられる。遷移クリップは通常、二本の直線状Ｔグリッドビームを端部で互いに横断した状態で連結するために使用されるが、この種の連結にのみ限定されるものではない。遷移クリップはいくつかの異るＴグリッドビーム交差点、遷移点等多くの場合に使用可能であり、吊下グリッド天井構造体に対し極めて汎用性の高いクリップである。遷移クリップ及び利用する各種の交差点及び遷移点は、参考としての１９９８年１２月１６日に出願された係属中の米国特許出願第０８／９９１，９３５号に開示される。
【００１０】
２本の直線状Ｔグリッド主ビーム間あるいは直線状Ｔグリッド主ビームと湾曲状Ｔグリッド主ビームとの間の遷移点等の場合、スプライスクリップが使用され得、これによりこの遷移点でビームが極めて容易に連結され得る。スプライスクリップは通常、丸天井の場合のように天井面が平面から湾曲面に変化する遷移点でＴグリッドビームの２端部にするために使用される。スプライスクリップ及び利用する各種の交差点並びに遷移点は、参考としての１９９８年１２月１６日に出願された係属中の米国特許出願第０８／９９１，９３６号に開示される。
【００１１】
他の種類のクリップはスプライスプレートである。スプライスプレートは通常工場で切断されていない湾曲ビームの２端部を当接して一本のビーム長より長いＴグリッドビームを形成する場合にのみに使用される。スプライスクリップもこの場合に使用できるが、スプライスプレートは費用がより安くなる。スプライスクリップはプレートの各端部でプレートの平担部から横断方向に突出する２個のタブを有している。タブはＴグリッドビームのスロット内に挿入され、折り曲げられて、スプライスプレートがビームに対し固定される。スプライスプレートにはまた平担部の中央近傍に２個の小さな溝が形成され、分割された各Ｔグリッドビームの端部を捕捉するために使用される。
【００１２】
壁付クリップはビームを壁に対し付設するために使用される。壁付クリップは一端部に曲げることのできるタブを有した長いＵ形のクリップである。このクリップはＴグリッドビームの直立ウエブ部と壁部との間のスペーサとして機能し、このためＴグリッドビームのウエブ部がクリップ及び壁部に対し固定される。曲げ可能なタブはＴグリッドビームのスロット内に挿入されて更に良好に固定される。
【００１３】
面トリム部材が天井の浮動縁部に設置される場合、面トリムクリップが使用される。このクリップは浮動縁部をなすビーム端部で直線状Ｔグリッドビームに装着可能である。クリップにより面トリム部材がビームに対し横断方向、角度方向あるいは平行方向にクリップされ、従って面トリム部材がＴグリッドビームと浮動縁部との交差状態に関係なく吊下グリッド天井の浮動縁部に沿って設置可能である。面トリム部材及びその各種設置構成については、参考としての１９９８年２月１８日に出願された係属中の米国特許出願第０９／０２５，２７２号に開示される。
【００１４】
直線状Ｔグリッド主ビームにはビームのウエブ部に沿って一定間隔で離間されたキースロット及びクロス溝スロットが形成されている。直線状Ｔグリッドクロスビームにはキースロットが形成される。キースロットのため、２本のグリッドビームを連結する別の形態としての構成が提供され、キースロットは通常Ｔグリッドクロスビームを主ビームに対し横断状態で連結するために使用される。直線状Ｔグリッド主及びクロスビームは端部にスプライスタブを有し、スペーサタブは別のビームのキースロット内に挿入可能である。Ｔグリッド主ビームの溝スロットはクロス溝部材を主ビームに対し連結するために使用される。クロス溝部材はＵ形断面をなす２側壁を有した長手の溝部材である。側壁がそれらの正常位置にバネにより戻ると、バネ力がクロス溝スロットに対抗して与えられるので、ビーム及びクロス溝部材が連結される。
【００１５】
吊下グリッドシステムは各種の設置用途に対し予め設計され、特定の設置に関する要件は予め決定され、所定部材はシステムにより与えられる特定部材を選択する際に含まれる。これらの部材はカタログリストに与えられ、仕様に従って編成される。湾曲したグリッドビームは特に重要である。湾曲したグリッドビームは各種の標準半径、弦長及びビーム面でもって製造される。湾曲したグリッドビームはビーム面が凹面にして天井に山部を作るか、あるいは凸面にして天井を谷形にするように与えられる。予め湾曲したグリッドビームのため、現場での特注製造したり、直線状グリッドビームを変更して湾曲したグリッドビームに形成するような必要がなくなる。従ってドライウオール吊下グリッドシステムのため、設置場所での設置作業開始前に特定のシステムに対する所定の部材がすべて選択され注文可能である。
【００１６】
（発明を実施するための最良の形態）
ドライウオール吊下システムは通常、各種の複雑に湾曲した特徴部を含むドライウオール天井を建築するために使用される。図示のシステムの場合、各種サイズ、特定の、前以て作られ前以て設計された部材を接合することにより、このような湾曲した面を形成することができる。例えば、前以て湾曲したグリッドビームは３０〜２３０インチの各種の半径で３０、４５、６０及び９０度の円弧を持つように製造される。前以て湾曲したグリッドビームのこれらの角度または半径のパラメータは一例にすぎず市場の要求に応じて変更可能である。また前以て湾曲したグリッドビームは一定の半径の曲線で製造する必要がなく任意の複雑な曲線に製造可能である。一方前以て湾曲された標準化グリッドビームを接合することにより、各種の曲線が得られる。前以て湾曲したグリッドビームはまた、ビーム面を凹面に湾曲して天井に山部にしたり凸面に湾曲して天井に谷部にしたりするので変化する。前以て湾曲したグリッドビームを使用する場合、前以て湾曲した多数のグリッドビームを接合すると、前以て湾曲した１本のグリッドビームの長手方向及び湾曲部の長手方向全体にわたって多面的でない装着面が結果として形成される。
【００１７】
標準サイズの部材から建築し設置前にグリッド全体を設計するので、都合の悪い場所で生じるグリッドビームのノッチの問題が避けられ、湾曲特徴部の同一性が保証される。設計の構造的評価も標準化部材を使用することにより標準化できる。
【００１８】
グリッドに装着するドライウオールパネルは、業界では一般の周知の方法により仕事場で湾曲される。この方法にはドライウオールパネルの面を湿らしパネルを所望形状に曲げ、グリッドに固定する工程が含まれる。
【００１９】
更にシステムは図１に示すように周知の平担な吊下ドライウオール天井を建築するために使用可能である。平担な天井は直線状Ｔグリッド主ビーム３０及び直線状Ｔグリッドクロスビーム３６から吊下グリッドを形成することにより作られる。直線状Ｔグリッド主ビーム３０及び直線状Ｔグリッドクロスビーム３６は共に「主」あるいは「クロス」位置に配置され、交換可能である。図示の都合上、直線状Ｔグリッド主ビーム３０は「主」位置にあり、直線状Ｔグリッドクロスビーム３６は「クロス」位置にある。直線状Ｔグリッド主ビーム３０及び直線状Ｔグリッドクロスビーム３６は複数のハンガーワイヤ２５により支承構造体（図示せず）から吊下げられる。この場合溝成形品８２を用いて、壁面１００と交わる直線状Ｔグリッド主ビーム３０及び直線状Ｔグリッドクロスビーム３６の端部が捕捉される。直線状Ｔグリッド主ビーム３０及び直線状Ｔグリッドクロスビーム３６はそれぞれグリッドビーム面３８を有し、全体としてドライウオールネジを用いてドライウオールパネル２００を装着可能な面が形成される。図１Ａは複数の実用開口部１５０を含む平担な吊下ドライウオール天井を示す。実用の開口部１５０により点灯装置、換気口等の装置用の空間が得られる。
【００２０】
図２は直線状Ｔグリッド主ビーム３０と２個の直線状Ｔグリッドクロスビーム３６との間の図１及び図１Ａの場合のような吊下グリッドでの代表的な交差点を示す。Ｔグリッドビーム３０、３６は垂直ウエブ部３１及び厚い頂部バルブ部３２を有する。スプライスタブ３７は両方の直線状Ｔグリッドクロスビーム３６の端部に設けられ、直線状Ｔグリッド主ビーム３０の垂直ウエブ部３１上のキースロット３３内に挿入される。図２はまた２本の直線状Ｔグリッド主ビーム３０間のスプライス連結部の一実施形態を示す。主スプライスタブ３４は直線状Ｔグリッド主ビーム３０の端部に設けられ、他の直線状Ｔグリッド主ビーム３０の垂直ウエブ部３１上の端部スロット３５を貫通して挿入され曲げらえる。次にドライウオールパネル２００は直線状Ｔグリッド主ビーム３０及び直線状Ｔグリッドクロスビーム３６のグリッドビーム面３８に装着される。
【００２１】
図２Ａは図２と同様な種類であるが直線状Ｔグリッドクロスビーム３６に代えてクロス溝部材３９を使用する交差点を示す。クロス溝部材３９は溝側壁４０を有した長いＵ形断面形のビームである。溝側壁４０は内側に曲げることができ、直線状Ｔグリッド主ビーム３０に設けられたクロス溝スロット４１内に挿入可能である。曲げられた溝側壁４０のバネ力によりクロス溝部材３９が適所に保持される。クロス溝部材３９及び直線状Ｔグリッド主ビーム３０のグリッドビーム面３８により、ドライウオールパネル２００を装着可能なグリッド面が形成される。
【００２２】
平担部１２０及び山部１３０を有するドライウオール吊下天井が図３に示される。天井の平担部１２０は部屋の壁１００に装着される溝成形品８２から延びる直線状Ｔグリッド主ビーム３０により形成される。溝成形品８２は壁１００が終端となる直線状Ｔグリッド主ビーム３０の端部を捕捉するために使用される。山部１３０は図４に示すように各直線状Ｔグリッド主ビーム３０の端部を凹面に湾曲したＴグリッドビーム４２の端部に対し接合することにより形成される。変更されたスプライスクリップ６５を用いて、図３に示すように吊下グリッド内の各遷移点で直線状Ｔグリッド主ビーム３０及び凹面に湾曲したＴグリッドビーム４２の両方の端部を接合する。スプライスクリップ６５は（図７に示すような）スプライスクリップ６４であり、半分に分断され旋回点７０でピンで連結され、これにより直線状Ｔグリッド主ビーム３０が凹面に湾曲したＴグリッドビーム４２の端部に対し任意の角度で接合可能である。スプライスクリップ６５は、バルブ部３２を覆うように付着し、直線状Ｔグリッド主ビーム３０および凹面に湾曲したＴグリッドビーム４２の両方の垂直ウエブ部３１に対して当接される。スプライスクリップ６４及びスプライスクリップ６５は参考としての１９９８年１２月１６日出願の米国特許出願第０８／９９１，９３６号に開示される。多数の直線状Ｔグリッドクロスビーム３６が直線状Ｔグリッド主ビーム３０及び凹面に湾曲したＴグリッドビーム４２に対し横断（巾）方向に沿って接合されて、図３に示すような完全吊下グリッドが形成される。アングル成形品８０は図４に示すように天井の平担部１２０と山部１３０との間のコーナー部に沿って設けられる。次にドライウオールパネル２００が形成され吊下グリッドのグリッドビーム面３８に装着される。
【００２３】
図５は図３と同様の山部を有する吊下ドライウオール天井の直線状Ｔグリッド主ビーム３０と凹面に湾曲したＴグリッドビーム４２との間の遷移点の別の実施形態を示す。本実施形態では直線状Ｔグリッド主ビーム３０に対し垂直な凹面に湾曲したＴグリッドビーム４２の端部を接合する遷移クリップ６６が使用されている。遷移クリップ６６は凹面に湾曲したＴグリッドビーム４２および直線状Ｔグリッド主ビーム３０の両方の上に装着する直角クリップであり、ネジにより固定される。遷移クリップ６６は頂部バルブ部３２に付着され、直線状Ｔグリッド主ビーム３０及び凹面に湾曲したＴグリッドビーム４２の両方の垂直ウエブ部３１に対し当接される。遷移クリップ６６およびその特定用途は参考としての１９９８年１２月１６日出願の米国特許出願第０８／９９１，９３５号に開示される。
【００２４】
山部１３０及び谷部１４０を有する吊下ドライウオール天井が図６に示される。この種の用途の場合、凹面に湾曲したＴグリッドビーム４２を用いて天井の山部１３０が形成され、凸面に湾曲したＴグリッドビーム４４を用いて天井の谷部１４０が形成される。多数の直線状Ｔグリッドクロスビーム３６が直線状Ｔグリッド主ビーム３０、凹面に湾曲したＴグリッドビーム４２及び凸面に湾曲したＴグリッドビーム４４に対し横断（巾）方向に沿って接合され、図３に示すような完全吊下グリッドが形成される。これらのビームはここに説明する手段のいずれかを用いて共に接合される。直線状Ｔグリッドクロスビーム３６は通常直線状Ｔグリッドクロスビーム３６の端部に設けられるスプライスタブ３７を用いて横断ビーム（３０、４２、４４）に対し接合される。スプライスタブ３７は他の横断部に配置されるビーム（３０、４２、４４）の垂直ウエブ部３１のキースロット３３内に挿入される。
【００２５】
図７は図６に示すような凹面に湾曲したＴグリッドビーム４２及び直線状Ｔグリッド主ビーム３０間の遷移点を示す。スプライスクリップ６４は両ビームに対し装着されネジにより固定される。スプライスクリップは頂部バルブ部３２に付設され、図６に示すように凹面に湾曲したＴグリッドビーム４２及び直線状Ｔグリッド主ビーム３０に一体化されたような連続する垂直ウエブ部３１に対し当接される。図８は図６に示す凹面に湾曲したＴグリッドビーム４２及び凸面に湾曲したＴグリッドビーム４４間の遷移点を示す。スプライスプレート６８にはタブ６９が設けられ、タブ６９は凹面に湾曲したＴグリッドビーム４２及び凸面に湾曲したＴグリッドビーム４４の両方の湾曲したビーム端部スロット４５に挿入されその周囲に曲げられて、２本のビームが固定される。
【００２６】
図９は箱ソフィット部９２を有する吊下グリッドから構成される吊下ドライウオール天井を示す。箱ソフィット部９２は「主」位置あるいは「クロス」位置にあり、従って多数の直線状Ｔグリッド主ビーム３０及び直線状Ｔグリッドクロスビーム３６で構成される。直線状Ｔグリッド主ビーム３０及び直線状Ｔグリッドクロスビーム３６は共に位置を置換して配置可能である。図１０は互いに横断方向の直線状Ｔグリッド主ビーム３０及び直線状Ｔグリッドクロスビーム３６間の遷移点を示し、アングル成形品８０と共に図９のドライウオール吊下グリッドに示す箱ソフィット部９２の外側底コーナー部１０２を形成している。直線状Ｔグリッド主ビーム３０及び直線状Ｔグリッドクロスビーム３６は直角遷移クリップ６６により接合される。遷移クリップ６６はＴグリッドビーム３０、３６に対し装着されてネジにより固定される。図１１は互いに横断する直線状Ｔグリッド主ビーム３０及び直線状Ｔグリッドクロスビーム３６間の遷移点を示し、アングル成形品８０と共に図９のドライウオール吊下グリッドに示される箱ソフィット部９２の内側頂部コーナー部１０４を形成している。図１１の構成においては直線状Ｔグリッドクロスビーム３６の端部が直線状Ｔグリッド主ビーム３０のグリッドビーム面３８に対し当接され、箱ソフィット部９２の内側コーナー部１０４が形成される。遷移クリップ６６は直線状Ｔグリッド主ビーム３０及び直線状Ｔグリッドクロスビーム３６の両方に対しネジにより固定される。この場合遷移クリップ６６は直線状Ｔグリッド主ビーム３０のグリッドビーム面３８に対し直接装着され、このビームの垂直ウエブ部３１には当接されない。
【００２７】
図１２は湾曲したソフィット部９４を有し、凹面及び凸面に湾曲したＴグリッドビーム４２、４４、直線状Ｔグリッド主ビーム３０及び直線状Ｔグリッドクロスビーム３６から構成されるドライウオール吊下天井を示す。図１３は図１２のドライウオール吊下グリッドにおける湾曲したソフィット部９４の内側コーナー部１０６及び外側コーナー部１０８の詳細な構造を示す。この構成においては垂直方向に直線状のＴグリッドクロスビーム３６は２本の凸面に湾曲したＴグリッドビーム４４間で互いに横断（巾）方向に配置される。スプライスクリップ６４は直角に曲げられて、互いに横断した状態で垂直方向に直線状の短いＴグリッドクロスビーム３６及び凸面に湾曲したＴグリッドビーム４４の両方に対し装着可能である。この種の構造のスプライスクリップ６４は垂直方向に直線状のＴグリッドクロスビーム３６の両端部に使用される。天井の平担部は直線状Ｔグリッド主ビーム３０及び直線状Ｔグリッドクロスビーム３６を用いて構成される。
【００２８】
図１４はソフィット部９４及び曲がったソフィット部９６を有する吊下ドライウオール天井を形成し、凸面に湾曲したＴグリッドビーム４４、直線状Ｔグリッド主ビーム３０及び直線状Ｔグリッドクロスビーム３６を有するドライウオール吊下グリッドから構成されたドライウオール吊下天井を示す。この天井構成の場合、湾曲したソフィット部９６が図１５に示すようにコーナー部１１０を構成する、凸面に湾曲したＴグリッドビーム４４と直線状Ｔグリッド主ビーム３０との間の遷移点で湾曲したソフィット部９４が連続される。変更された遷移クリップ６７を用いて、凸面に湾曲したＴグリッドビーム４４の端部が直線状Ｔグリッド主ビーム３０のグリッドビーム面３８に対し連結される。遷移クリップ６７は（図５に示す）遷移クリップ６６であり、２部分に分断され旋回点７０で共にピン止めされる。遷移クリップ６７及びその用途については参考としての１９９８年１２月１６日出願の米国特許出願第０８／９９１，９３５号に開示されている。アングル成形品８０は箱ソフィット部９４と湾曲したソフィット部９６との間に形成されるコーナー部１１０を補強するために付加される。
【００２９】
図１６は曲がったファシア９８及び円形ファシア９９を有する平担なドライウオール吊下天井を構成し、凹面及び凸面に湾曲したＴグリッドビーム４２、４４、直線状Ｔグリッド主ビーム３０及び直線状Ｔグリッドクロスビーム３６を有するドライウオール吊下グリッドから構成される。図１７は図１６の曲がったファシア９８を形成する湾曲したＴグリッドビーム４４間の構造を示す。溝成形品８２は切断されノッチ付けされ、凸面に湾曲した頂部のＴグリッドビーム４４上で曲げられ、直線状Ｔグリッド主ビーム３０へ下方に角度付け可能である。タブ８３は外側へ曲げられ、溝成形品８２は湾曲したＴグリッドビーム４４のグリッドビーム面３８に対し平担に配置され溝面８４を形成する。直線状Ｔグリッド主ビーム３０は曲げられた遷移クリップ６６を介し、湾曲した底部のＴグリッドビーム４４に装着される。遷移クリップ６６は直角に曲げられるので、図１７に示すように遷移クリップ６６は互いに横断（巾）方向の直線状Ｔグリッド主ビーム３０及び湾曲した底部のＴグリッドビーム４４に対し装着可能である。湾曲したＴグリッドビーム４４のグリッドビーム面３８及び溝面８４により、ドライウオールパネル２００を装着して湾曲したファシア９８を形成する面が構成される。
【００３０】
図１８は図１６の円形ファシア９９の直線状Ｔグリッド主ビーム３０と凹面に湾曲したＴグリッドビーム４２との間の交差点を示す。また直線状Ｔグリッド主ビーム３０の代えて（図２に示す）直線状Ｔグリッドクロスビーム３６を用いることもできよう。この構造の場合、凹面に湾曲したＴグリッドビーム４２はネジ７２を介し直線状Ｔグリッド主ビーム３０の頂部バルブ部３２に直接装着される。
【００３１】
図１９は直線状Ｔグリッド主ビーム３０及び直線状Ｔグリッドクロスビーム３６から構成される平担な吊下ドライウオール天井を示し、各直線状グリッドビーム３０、３６の少なくとも一方のビーム端部が平担な吊下ドライウオール天井の直線部及び湾曲部を有する浮動縁部９０をなしている。図２０は浮動縁部９０に対し平行に延びる直線状Ｔグリッド主ビーム３０により形成されたファシアの直線部を示す。（図２に示す）線状Ｔグリッドクロスビーム３６も直線状Ｔグリッド主ビーム３０の代わりに使用できよう。クリップ部８９を有する面トリムクリップ８８は直線状Ｔグリッド主ビーム３０のウエブ部９１に装着される。クリップ部８９は直線状Ｔグリッド主ビーム３０に対し平行な位置でピボット（旋回軸）を付けられ、面トリム部８６は浮動している縁部９０に沿って適所にクリップ止め可能である。面トリムクリップ８８及びその各種の設置構成は、参考としての１９９８年２月１８日出願の米国特許出願第０９／０２５，２７２号に開示される。
【００３２】
図２１は直線状Ｔグリッド主ビーム３０とグリッドビーム端部に対し垂直に配置される面トリム部８６との間の遷移点を示す。（図２に示す）直線状Ｔグリッドクロスビーム３６もまた直線状Ｔグリッド主ビーム３０に代えて使用できよう。クリップ部８９を有する面トリムクリップ８８は直線状Ｔグリッド主ビーム３０の垂直ウエブ部３１に対し装着され、クリップ部８９は、ピボット（旋回軸）を付けられて、面トリム部８６が直線状Ｔグリッド主ビーム３０に対し横断（巾）方向となるように面トリムクリップ８８に対し装着される。クリップ部８９が旋回することにより、直線状Ｔグリッド主ビーム３０のグリッドビーム端部が任意の角度で浮動縁部９０と交差することができる。
【００３３】
本発明の好ましい実施構成を説明するために本発明の特定の実施形態を開示したが、添付の請求項はここに開示した実施形態より広い範囲の等価物を含むことは理解されよう。
【図面の簡単な説明】
【図１】  図１はドライウオールの一部を示し、平担なドライウオール吊下天井をなす直線状Ｔグリッドビームを用いるドライウオール吊下グリッドを一部露呈させた、平担な吊下ドライウオール天井の斜視図を示す。
【図１Ａ】  図１Ａはドライウオール吊下グリッド内に開口部を有した平担なドライウオール吊下天井の斜視図を示す。
【図２】  図２は図１のドライウオール吊下グリッド内で互いに横断（巾）方向の２本の直線状Ｔグリッドビームの代表的な交差点の詳細な斜視図である。
【図２Ａ】  図２Ａは平担なドライウオール吊下天井での直線状Ｔグリッドビームとクロス溝部材との交差点の斜視図を示す。
【図３】  図３はドライウオールの一部を示し、直線状Ｔグリッドビーム及び凹面に湾曲したＴグリッドビームを用い山部を有する吊下ドライウオール天井の一部を露出した、ドライウオール吊下天井の斜視図である。
【図４】  図４は図３のドライウオール吊下グリッド内の直線状Ｔグリッドビーム及び凹面に湾曲したＴグリッドビーム間の遷移点の詳細な斜視図である。
【図５】  図５は山部を有するドライウオール吊下天井を構成する、直線状Ｔグリッドビームと凹面状に湾曲したＴグリッドビームとの間の遷移点の第２の実施形態の斜視図である。
【図６】  図６はドライウオールの一部を破断して示し、直線状Ｔグリッドビーム、凹面に湾曲したＴグリッドビーム及び凸面に湾曲したＴグリッドビームを有するドライウオール吊下グリッドを露呈させ、平担部、山部及び谷部を有するドライウオール吊下天井を構成する、吊下天井の斜視図である。
【図７】  図７は図６のドライウオール吊下グリッド内の凹面に湾曲したＴグリッドビーム及び直線状Ｔグリッドビームの間の遷移点の詳細な斜視図である。
【図８】  図８は図６のドライウオール吊下グリッド内の凹面に湾曲したＴグリッドビーム及び凸面に湾曲したＴグリッドビームの間の遷移点の詳細な斜視図である。
【図９】  図９はドライウオールの一部を破断して示し、箱ソッフィト部を有する吊下ドライウオール天井を構成し直線状Ｔグリッドビームを有するドライウオール吊下グリッドを一部露呈させた、ドライウオール吊下天井の斜視図である。
【図１０】  図１０は図９のドライウオール吊下グリッド内の箱ソッフィト部の外側底コーナー部で互いに横断（巾）方向にアングル成形品が形成された２本の直線状ＴグリッドビームＴグリッドビーム間の遷移点の詳細な斜視図である。
【図１１】  図１１は直線状Ｔグリッドビーム遷移点の詳細な斜視図である。
【図１２】  図１２はドライウオール吊下天井での凹面及び凸面に湾曲したＴグリッドビーム及び直線状Ｔグリッドビームを有するドライウオール吊下グリッドの一部破断して露呈させた状態を示すドライウオール吊下天井の斜視図である。
【図１３】  図１３は図１２のドライウオール吊下グリッドの湾曲が連続したソッフィト部の内側コーナー部及び内側コーナー部を形成した湾曲したＴグリッドビームの詳細な斜視図である。
【図１４】  図１４は箱形ソッフィト部及び湾曲したソッフィト部を有するドライウオール吊下天井を形成する凸面に湾曲したＴグリッドビーム及び直線状Ｔグリッドビームを有するドライウオール吊下グリッドの一部を破断して示すドライウオール吊下天井の斜視図である。
【図１５】  図１５はアングル成形品、湾曲したソッフィト部と図１４の箱型ソッフィト部との間の尖ったコーナー部を有し、互いに横断（巾）方向の直線状Ｔグリッドビームと凸面に湾曲したＴグリッドビームとの間の遷移点の詳細な斜視図を示す。
【図１６】  図１６は平担なドライウオール吊下天井の曲がったファシアを構成する凹面及び凸面に湾曲したＴグリッドビーム及び直線状Ｔグリッドビームの一部露呈して示すドライウオール吊下天井の斜視図である。
【図１７】  図１７は図１６の曲がったファシアの第１の実施形態をなす湾曲したＴグリッドビームの詳細な斜視図である。
【図１８】  図１８はである図１６の曲がったファシアの第２の実施形態のコーナー部を形成する、互いに横断（巾）方向の水平直線状Ｔグリッドビーム及び凹面に湾曲したＴグリッドビーム間の遷移点の詳細な斜視図である。
【図１９】  図１９は平担なドライウオール天井の浮動縁部をなす各Ｔグリッドビームの少なくとも一のビーム端部を有する部分及び直線状Ｔグリッドビームを備えたドライウオール吊下グリッドの一部露呈して示す、平担な吊下ドライウオール天井の斜視図であり、面トリム部は浮動縁部をなすビームの長手部に沿ってビーム端部に装着され、直線状及び湾曲した部分を有するファシアをなしている。
【図２０】  図２０はＴグリッドビームの側部に対する直線状Ｔグリッドビームの詳細な斜視図であり、面トリム部はＴグリッドビームの側部に装着され、面トリム部はＴグリッドビームに対し平行に位置付されて面トリムクリップ部にクリップされる。
【図２１】  図２１は図１９のドライウオール吊下グリッドのグリッドビーム端部に対し垂直に配置されたグリッドビームと面トリム部との間の連結部の詳細な斜視図であり、面トリムクリップ部はＴグリッドビームの側部に装着され、面トリム部はＴグリッドビームに対し横断（巾）方向に配置された状態で面トリムクリップ部にクリップされる。
【図１】
0004934874.tif 000002
【図１Ａ】
0004934874.tif 000003
【図２】
0004934874.tif 000004
【図２Ａ】
0004934874.tif 000005
【図３】
0004934874.tif 000006
【図４】
0004934874.tif 000007
【図５】
0004934874.tif 000008
【図６】
0004934874.tif 000009
【図７】
0004934874.tif 000010
【図８】
0004934874.tif 000011
【図９】
0004934874.tif 000012
【図１０】
0004934874.tif 000013
【図１１】
0004934874.tif 000014
【図１２】
0004934874.tif 000015
【図１３】
0004934874.tif 000016
【図１４】
0004934874.tif 000017
【図１５】
0004934874.tif 000018
【図１６】
0004934874.tif 000019
【図１７】
0004934874.tif 000020
【図１８】
0004934874.tif 000021
【図１９】
0004934874.tif 000022
【図２０】
0004934874.tif 000023
【図２１】
0004934874.tif 000024